【手続補正書】
【提出日】令和3年6月9日(2021.6.9)
【手続補正１】
【補正対象書類名】特許請求の範囲
【補正対象項目名】全文
【補正方法】変更
【補正の内容】
【特許請求の範囲】
【請求項１】
ユーザの網膜に画像を直接投影する画像投影装置が搭載される搭載部と、
平面形状の撮像面を有し、前記搭載部に搭載された前記画像投影装置から前記撮像面に投影される画像を撮像する撮像素子と、
前記画像投影装置によって異なる時間に出射される複数の第１光線が収束する位置に設けられ、前記画像投影装置から前記撮像面に照射される前記複数の第１光線各々を前記撮像面又は前記撮像面の近傍に合焦させる光学系と、
前記撮像素子で撮像された画像を検査する検査部と、を備え、
前記撮像面の前記搭載部方向に前記網膜があると仮想したときに、前記画像投影装置によって異なる時間に出射されて前記網膜に照射される光線を複数の第２光線とし、
前記複数の第１光線各々及び前記複数の第２光線各々は、赤色光、緑色光、及び青色光を含み、
前記光学系は、前記撮像素子で撮像される画像の中央部におけるストレール比を端部におけるストレール比よりも高くさせ、前記緑色光からなる前記複数の第１光線が前記撮像面に照射されるときのストレール比と前記緑色光からなる前記複数の第２光線が前記網膜に照射されるときのストレール比との相違を、前記赤色光からなる前記複数の第１光線が前記撮像面に照射されるときのストレール比と前記赤色光からなる前記複数の第２光線が前記網膜に照射されるときのストレール比との相違、及び、前記青色光からなる前記複数の第１光線が前記撮像面に照射されるときのストレール比と前記青色光からなる前記複数の第２光線が前記網膜に照射されるときのストレール比との相違よりも小さくさせる、画像検査装置。
【請求項２】
前記複数の第２光線のうちの前記画像の端近傍における第３光線を前記撮像面に垂直に投影したときの位置を第１位置とし、前記網膜を平面展開して前記網膜の表面を前記撮像面に一致させたときの前記撮像面における前記第３光線の位置を第２位置とした場合に、
前記光学系は、前記複数の第１光線のうちの前記第３光線に対応する第４光線が前記撮像面に照射される第３位置を前記第１位置よりも前記第２位置に近づける、請求項１記載の画像検査装置。
【請求項３】
前記光学系は、前記第３位置を前記第２位置に略一致させる、請求項２記載の画像検査装置。
【請求項４】
前記光学系は、前記複数の第１光線が前記撮像面に照射される複数の位置の全てを、前記網膜を平面展開して前記網膜の表面を前記撮像面に一致させたときの前記撮像面における前記複数の第２光線の複数の位置のうちの対応する位置に略一致させる、請求項２または３記載の画像検査装置。
【請求項５】
前記光学系は、前記複数の第１光線が前記撮像面に照射されるときの前記緑色光に対する前記赤色光及び前記青色光の位置ずれ方向を、前記複数の第２光線が前記網膜に照射されるときの前記緑色光に対する前記赤色光及び前記青色光の位置ずれ方向と同じにさせる、請求項１から４のいずれか一項記載の画像検査装置。
【請求項６】
前記光学系は、前記複数の第１光線が入射する側から順に並んだ第１凸レンズ、凹レンズ、及び第２凸レンズを含む、請求項１から５のいずれか一項記載の画像検査装置。
【請求項７】
前記撮像素子の解像度は、前記画像投影装置によって前記撮像面に投影される画像の解像度以上である、請求項１から６のいずれか一項記載の画像検査装置。
【請求項８】
前記撮像素子の撮像領域は、前記画像投影装置によって前記撮像面に投影される画像の投影領域よりも大きい、請求項１から７のいずれか一項記載の画像検査装置。
【請求項９】
前記撮像素子が前記画像投影装置によって前記撮像面に投影される画像を撮像する１回の露光時間は、前記画像投影装置によって前記撮像面に投影される画像のフレームレートの逆数よりも長い、請求項１から８のいずれか一項記載の画像検査装置。
【請求項１０】
前記光学系及び前記撮像素子は、前記複数の第１光線が収束する位置を中心に前記画像投影装置に対して回動可能である、請求項１から９のいずれか一項記載の画像検査装置。
【手続補正２】
【補正対象書類名】明細書
【補正対象項目名】０００６
【補正方法】変更
【補正の内容】
【０００６】
本発明は、ユーザの網膜に画像を直接投影する画像投影装置が搭載される搭載部と、平面形状の撮像面を有し、前記搭載部に搭載された前記画像投影装置から前記撮像面に投影される画像を撮像する撮像素子と、前記画像投影装置によって異なる時間に出射される複数の第１光線が収束する位置に設けられ、前記画像投影装置から前記撮像面に照射される前記複数の第１光線各々を前記撮像面又は前記撮像面の近傍に合焦させる光学系と、前記撮像素子で撮像された画像を検査する検査部と、を備え、前記撮像面の前記搭載部方向に前記網膜があると仮想したときに、前記画像投影装置によって異なる時間に出射されて前記網膜に照射される光線を複数の第２光線とし、前記複数の第１光線各々及び前記複数の第２光線各々は、赤色光、緑色光、及び青色光を含み、前記光学系は、前記撮像素子で撮像される画像の中央部におけるストレール比を端部におけるストレール比よりも高くさせ、前記緑色光からなる前記複数の第１光線が前記撮像面に照射されるときのストレール比と前記緑色光からなる前記複数の第２光線が前記網膜に照射されるときのストレール比との相違を、前記赤色光からなる前記複数の第１光線が前記撮像面に照射されるときのストレール比と前記赤色光からなる前記複数の第２光線が前記網膜に照射されるときのストレール比との相違、及び、前記青色光からなる前記複数の第１光線が前記撮像面に照射されるときのストレール比と前記青色光からなる前記複数の第２光線が前記網膜に照射されるときのストレール比との相違よりも小さくさせる、画像検査装置である。
【手続補正３】
【補正対象書類名】明細書
【補正対象項目名】０００７
【補正方法】変更
【補正の内容】
【０００７】
上記構成において、前記複数の第２光線のうちの前記画像の端近傍における第３光線を前記撮像面に垂直に投影したときの位置を第１位置とし、前記網膜を平面展開して前記網膜の表面を前記撮像面に一致させたときの前記撮像面における前記第３光線の位置を第２位置とした場合に、前記光学系は、前記複数の第１光線のうちの前記第３光線に対応する第４光線が前記撮像面に照射される第３位置を前記第１位置よりも前記第２位置に近づける構成とすることができる。
【手続補正４】
【補正対象書類名】明細書
【補正対象項目名】０００８
【補正方法】変更
【補正の内容】
【０００８】
上記構成において、前記光学系は、前記第３位置を前記第２位置に略一致させる構成とすることができる。
【手続補正５】
【補正対象書類名】明細書
【補正対象項目名】０００９
【補正方法】変更
【補正の内容】
【０００９】
上記構成において、前記光学系は、前記複数の第１光線が前記撮像面に照射される複数の位置の全てを、前記網膜を平面展開して前記網膜の表面を前記撮像面に一致させたときの前記撮像面における前記複数の第２光線の複数の位置のうちの対応する位置に略一致させる構成とすることができる。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
上記構成において、前記光学系は、前記複数の第１光線が前記撮像面に照射されるときの前記緑色光に対する前記赤色光及び前記青色光の位置ずれ方向を、前記複数の第２光線が前記網膜に照射されるときの前記緑色光に対する前記赤色光及び前記青色光の位置ずれ方向と同じにさせる構成とすることができる。